(57)【特許請求の範囲】
【請求項１】
外装フィルムの周縁近傍の部分と、包装対象のおにぎり本体に対向させる内装フィルムにおける前記外装フィルムの周縁近傍の部分と対向する部分とを封止することによって、この内装フィルムと前記外装フィルムとの間に海苔を封入してなる包装部材において、
前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、しかも、前記外側引きしろを引っ張って、前記切り離し帯の間の前記第１外フィルムを前記第２外フィルムから剥離させると共に、前記切り離し帯に沿って、その間の前記第１外フィルムを他の部分から切り離すことにより、前記海苔の一短辺側の半面部分を展開させるための外側開口部を形成可能とし、
前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、しかも、前記内側引きしろを引っ張って、前記第１内フィルムの中央部分を前記第２内フィルムから剥離させると共に、当該第１内フィルムの中央部分を他の部分から切り離すことにより、前記海苔の他短辺側の半面部分を引き出すための内側開口部を形成可能としたことを特徴とする包装部材。
【請求項２】
請求項１に記載の包装部材によっておにぎり本体を包装してあることを特徴とする包装おにぎり。
【請求項３】
外装フィルムの周縁近傍の部分と内装フィルムの前記外装フィルムの周縁近傍の部分と対向する部分とを封止することによって、この内装フィルムと前記外装フィルムとの間に前記海苔を封入してなる包装部材で、おにぎり本体を封止状に包装した包装おにぎりの開封方法であって、
前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、
前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、
前記外側引きしろを引っ張って、前記切り離し帯の間の前記第１外フィルムを前記第２外フィルムから剥離させると共に、前記切り離し帯に沿って、その間の前記第１外フィルムを他の部分から切り離して、前記外装フィルムに外側開口部を形成し、
この外側開口部から前記海苔の一短辺側の半面部分を展開させることによって、前記内側引きしろを表出させ、
前記内側引きしろを引っ張って、前記第１内フィルムの中央部分を前記第２内フィルムから剥離させると共に、当該第１内フィルムの中央部分を他の部分から切り離して、前記内装フィルムに内側開口部を形成し、
前記内側開口部から前記海苔の展開させた部分の上へ、前記おにぎり本体を転動させた状態で、前記海苔の他短辺側の半面部分を前記第２外フィルムと前記第２内フィルムとの間から引き出し、
前記海苔の引き出した半面部分でおにぎり本体を覆っておにぎりを取り出す包装おにぎりの開封方法。
【発明の詳細な説明】
【技術分野】
【０００１】
本発明は、包装対象のおにぎり本体を包装すべくシート状の海苔を内包した包装部材、及びこの包装部材によっておにぎり本体を包装した包装おにぎりに関する。
【背景技術】
【０００２】
ご飯（炊き込みご飯等も含む）を適宜形状に成型し、必要に応じて適宜の具材を付帯させたおにぎり本体の表面にシート状に乾燥させた海苔（以下、海苔ともいう。）を付したおにぎりが販売されている。かかるおにぎりでは、それを食する際に、乾燥した海苔の食感が維持されていることが要求されている。
【０００３】
そのため、弁当販売店等に対しては後述する特許文献１において、おにぎり本体を収容すべく、おにぎり本体の形状に応じた形状をなした合成樹脂製の容器本体を備え、前記容器本体の開閉蓋部に設けた保持部に、薄肉シートで包装された海苔を保持させるようにした包装容器が開示されている。
【０００４】
このような包装容器では、おにぎり本体が海苔と分離して容器本体内に収納されているため、おにぎり本体から蒸散した水分によって海苔の乾燥度が低下することが防止されると共に、海苔は薄肉シートによって包装されているため、海苔が周囲の湿気を吸収することも防止される。そして、店員が、販売時に開閉蓋を開けて、容器本体からおにぎり本体を取り出すと共に、海苔を保持部及び薄肉シートから取り出した後、当該海苔によって前記おにぎり本体を包んでおにぎりとし、それを客へ提供するため、当該おにぎりを食する客は、乾燥した海苔の食感を楽しむことができる。
【０００５】
しかし、かかる包装容器にあっては、容器本体の製造に要するコストが高く、また、薄肉シートで包装した海苔を、蓋部材に設けた保持部に保持させる作業が煩雑であるという問題があった。一方、容器本体が比較的硬い上に、更におにぎり本体の全体を包む広さの海苔を蓋部材に設けた保持部に保持させた場合、当該海苔が蓋部材からはみ出すので、持ち運ぶ際に、海苔を保持させた包装容器が嵩張り、持ち運びが不便であるという問題もあった。そのため、次のような包装おにぎりが市販されている。
【０００６】
即ち、包装おにぎりは、幅方向の略中央で２枚のフィルムの縁部を重ね合わせた帯状の内装フィルムと、この内装フィルムの幅寸法と略同じ幅寸法を有し、幅方向の略中央を通る線上に、切り離し帯を延設させてなる外装フィルムとの間に、両フィルムの面積より狭い面積の海苔を介装させ、内装フィルムと外装フィルムとの周縁を溶着させてなる包装部材によって三角形状のおにぎり本体を、前記切り離し帯の両端がおにぎり本体の一頂点付近に対峙するように、つまり包装部材が略二つ折になるように包み、包装部材の両側縁近傍の部分をおにぎり本体に倣って折り込んである。
【０００７】
このような包装おにぎりでは、前記切り離し帯の一端を他端側へ引っ張ることによって、外装フィルムを切り離し帯に沿ってその両側縁方向へ切り離した後、当該包装部材の前記おにぎり本体の他の２頂点に対向する２つの耳部をそれぞれ外側へ引っ張り上げることによって、外装フィルムの切り離された２つの部分及び内装フィルムを幅方向の略中央を通る線から包装部材の両側縁方向へ離隔させつつ、両フィルム間に介装された海苔を両フィルム間から引き出すと共に、おにぎり本体を包装部材から海苔内へ吐出させて、包装部材を取り外すのと同時的におにぎり本体を海苔によって包んでおにぎりとする。
【０００８】
前述した如く、包装部材は、外装フィルムと内装フィルムとの間に海苔を介装させてあるため、製造コストが低く、包装部材によっておにぎり本体を包むだけであるので、作業が容易である。また、かかる包装部材で包装してなる包装おにぎりの外寸は、おにぎり本体と外寸と略同じであるため、嵩張らず、持ち運びに便利であった。
【０００９】
【特許文献１】特開２０００−１１８５８４号公報
【発明の開示】
【発明が解決しようとする課題】
【００１０】
しかし、このような従来の包装部材にあっては、前述した如く内装フィルムが２枚のフィルムの縁部を重ね合わせて構成されているため、おにぎり本体を包んだ場合、当該おにぎり本体から蒸散した水分が内装フィルムの重ね合わせ部分から内部へ侵入して海苔に吸収されるため、外装フィルムと内装フィルムとの間の海苔の乾燥度が比較的短い期間で低下するという問題があった。
【００１１】
本発明は、斯かる事情に鑑みてなされたものであって、おにぎり本体を包装した場合に、内装フィルムと外装フィルムとの間に介装させた海苔の乾燥度をより長期間維持することができる包装部材、該包装部材でおにぎり本体を包装した包装おにぎり、及び該包装おにぎりの開封方法を提供することにある。
【課題を解決するための手段】
【００１２】
請求項１記載の本発明は、外装フィルムの周縁近傍の部分と、包装対象のおにぎり本体に対向させる内装フィルムにおける前記外装フィルムの周縁近傍の部分と対向する部分とを封止することによって、この内装フィルムと前記外装フィルムとの間に海苔を封入してなる包装部材において、前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、しかも、前記外側引きしろを引っ張って、前記切り離し帯の間の前記第１外フィルムを前記第２外フィルムから剥離させると共に、前記切り離し帯に沿って、その間の前記第１外フィルムを他の部分から切り離すことにより、前記海苔の一短辺側の半面部分を展開させるための外側開口部を形成可能とし、前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、しかも、前記内側引きしろを引っ張って、前記第１内フィルムの中央部分を前記第２内フィルムから剥離させると共に、当該第１内フィルムの中央部分を他の部分から切り離すことにより、前記海苔の他短辺側の半面部分を引き出すための内側開口部を形成可能としたことを特徴とする。
【００１３】
請求項２記載の本発明は、請求項１に記載の包装部材によっておにぎり本体を包装してあることを特徴とする。
【００１９】
請求項３記載の本発明は、外装フィルムの周縁近傍の部分と内装フィルムの前記外装フィルムの周縁近傍の部分と対向する部分とを封止することによって、この内装フィルムと前記外装フィルムとの間に前記海苔を封入してなる包装部材で、おにぎり本体を封止状に包装した包装おにぎりの開封方法であって、前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、前記外側引きしろを引っ張って、前記切り離し帯の間の前記第１外フィルムを前記第２外フィルムから剥離させると共に、前記切り離し帯に沿って、その間の前記第１外フィルムを他の部分から切り離して、前記外装フィルムに外側開口部を形成し、この外側開口部から前記海苔の一短辺側の半面部分を展開させることによって、前記内側引きしろを表出させ、前記内側引きしろを引っ張って、前記第１内フィルムの中央部分を前記第２内フィルムから剥離させると共に、当該第１内フィルムの中央部分を他の部分から切り離して、前記内装フィルムに内側開口部を形成し、前記内側開口部から前記海苔の展開させた部分の上へ、前記おにぎり本体を転動させた状態で、前記海苔の他短辺側の半面部分を前記第２外フィルムと前記第２内フィルムとの間から引き出し、前記海苔の引き出した半面部分でおにぎり本体を覆っておにぎりを取り出すことを特徴とする。
【発明の効果】
【００２０】
請求項１、及び請求項２記載の本発明では、外装フィルムの周縁近傍の部分と、包装対象のおにぎり本体に対向させる内装フィルムにおける前記外装フィルムの周縁近傍の部分と対向する部分とを封止することによって、この内装フィルムと前記外装フィルムとの間に海苔を封入してなる包装部材において、前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、しかも、前記外側引きしろを引っ張って、前記切り離し帯の間の前記第１外フィルムを前記第２外フィルムから剥離させると共に、前記切り離し帯に沿って、その間の前記第１外フィルムを他の部分から切り離すことにより、前記海苔の一短辺側の半面部分を展開させるための外側開口部を形成可能とし、前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、しかも、前記内側引きしろを引っ張って、前記第１内フィルムの中央部分を前記第２内フィルムから剥離させると共に、当該第１内フィルムの中央部分を他の部分から切り離すことにより、前記海苔の他短辺側の半面部分を引き出すための内側開口部を形成可能とした。このように、内装フィルムは第１内フィルムと第２内フィルムとを貼着封止させることによって、１枚のフィルムとして機能し、従って、内フィルムをおにぎり本体に対向させた状態でおにぎり本体を包装しても、おにぎり本体から蒸散した水分が内装フィルムから内部へ浸入することが防止され、海苔の乾燥度が低下することが防がれる。また、内側引きしろの適宜位置に切込みが設けてあるため、第１内フィルムの一部をおにぎり本体に応じて容易に切り取ることができる。また、外装フィルムの第１及び第２外フィルムは、外装フィルムの長手方向と交わる縁部を第1及び第２フィルムの全幅に亘って互いに剥離可能に貼着させてあり、一方の外フィルムに、前記海苔の一側がわを全幅に亘って表出させるための切り離し帯が延設してあるため、この切り離し帯によって、外装フィルムを構成する第１外フィルムの一部を、海苔に応じた形状に容易に切り離すことができ、海苔の一側がわの広い領域を、海苔に割れ等を発生させることなく一度に表出させることができる。また、これによって、内装フィルムの貼着部の剥離作業を容易に行うことができる。また、両切り離し帯を設けた外装フィルムに外側引きしろが形成してあるため、外装フィルムに設けた貼着部を剥離する作業を容易に行うことができる。また、両切り離し帯の一端はそれぞれ、前記外側引きしろま���延設してあり、この外側引きしろの両切り離し帯の一端近傍に切込みがそれぞれ設けてあるため、両切り離し帯による第１外フィルムの一部の切り離し作業を確実容易に行うことができる。また、外装フィルムは１枚のフィルムで構成してあり、この外装フィルムの縁から長手方向の所要位置までの領域に、前記海苔の一側がわを全幅に亘って表出させるための切り離し帯が延設してあるため、前同様、両切り離し帯によって、外装フィルムを構成する第１外フィルムの一部を、海苔に応じた形状に容易に切り離すことができ、海苔の一側がわの広い領域を海苔に割れ等を発生させることなく一度に表出させることができる。また、前述した如く外装フィルムは１枚のフィルムで構成してあるため、外装フィルムを２枚のフィルムで構成する場合に比べて、包装部材を製造する装置の構成が簡単である。また、外装フィルムに外側開口部を、内装フィルムに内側開口部を形成可能としたため、外装フィルムと内装フィルムとの間に海苔を封入した包装部材によっておにぎり本体を封止状態に包装した包装おにぎりであっても、包装部材を開封して、おにぎり本体を海苔で包んでなるおにぎりを、おにぎり本体を手指で触れることなく、また、おにぎり本体を海苔に割れ等を発生させることなく容易に形成することができる。
【００２１】
一方、外装フィルムに設けた切り離し帯によって、この外装フィルムの一部を切り離して内部の海苔の一部を取り出す。そして、内装フィルムの貼着部分を剥離して第１内フィルムと第２内フィルムとを分離させ、内部のおにぎり本体を前記海苔の上に取り出しておにぎりとすることができる。このように、内装フィルムと外装フィルムとの間に海苔を封入させた包装部材であっても、包装対象のおにぎり本体を手指で触れることなく容易に取り出しておにぎりを形成することができる。また、おにぎり本体に過剰な力を加えることなく、おにぎり本体を海苔上に取り出すことができ、おにぎり本体に割れ等が発生しない。
【００２２】
請求項３記載の発明では、外装フィルムの周縁近傍の部分と内装フィルムの前記外装フィルムの周縁近傍の部分と対向する部分とを封止することによって、この内装フィルムと前記外装フィルムとの間に前記海苔を封入してなる包装部材で、おにぎり本体を封止状に包装した包装おにぎりの開封方法であって、前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、前記外側引きしろを引っ張って、前記切り離し帯の間の前記第１外フィルムを前記第２外フィルムから剥離させると共に、前記切り離し帯に沿って、その間の前記第１外フィルムを他の部分から切り離して、前記外装フィルムに外側開口部を形成し、この外側開口部から前記海苔の一短辺側の半面部分を展開させることによって、前記内側引きしろを表出させ、前記内側引きしろを引っ張って、前記第１内フィルムの中央部分を前記第２内フィルムから剥離させると共に、当該第１内フィルムの中央部分を他の部分から切り離して、前記内装フィルムに内側開口部を形成し、前記内側開口部から前記海苔の展開させた部分の上へ、前記おにぎり本体を転動させた状態で、前記海苔の他短辺側の半面部分を前記第２外フィルムと前記第２内フィルムとの間から引き出し、前記海苔の引き出した半面部分でおにぎり本体を覆っておにぎりを取り出すので、外装フィルムと内装フィルムとの間に海苔を封入した包装部材によっておにぎり本体を封止状態に包装した包装おにぎりであっても、包装部材を開封して、おにぎり本体を海苔で包んでなるおにぎりを、おにぎり本体を手指で触れることなく、また、おにぎり本体を海苔に割れ等を発生させることなく容易に形成することができる。
【発明を実施するための最良の形態】
【００２８】
本発明に係る包装部材は、外装フィルムの周縁近傍の部分と、包装対象のおにぎり本体に対向させる内装フィルムにおける前記外装フィルムの周縁近傍の部分と対向する部分とを封止することによって、この内装フィルムと前記外装フィルムとの間に海苔を封入してなる包装部材において、前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、しかも、前記外側引きしろを引っ張って、前記切り離し帯の間の前記第１外フィルムを前記第２外フィルムから剥離させると共に、前記切り離し帯に沿って、その間の前記第１外フィルムを他の部分から切り離すことにより、前記海苔の一短辺側の半面部分を展開させるための外側開口部を形成可能とし、前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、しかも、前記内側引きしろを引っ張って、前記第１内フィルムの中央部分を前記第２内フィルムから剥離させると共に、当該第１内フィルムの中央部分を他の部分から切り離すことにより、前記海苔の他短辺側の半面部分を引き出すための内側開口部を形成可能とした。
【００２９】
本発明に係る包装おにぎりは、前述したいずれかの包装部材によっておにぎり本体を包装してある。
【００３０】
本発明に係る包装おにぎりの開封方法は、外装フィルムの周縁近傍の部分と内装フィルムの前記外装フィルムの周縁近傍の部分と対向する部分とを封止することによって、この内装フィルムと前記外装フィルムとの間に前記海苔を封入してなる包装部材で、おにぎり本体を封止状に包装した包装おにぎりの開封方法であって、前記内装フィルムは、その長手方向と交わる第１及び第２内フィルムの縁部を、前記第1内フィルムの縁部が前記外装フィルム側になるように重畳させ、この重畳部分の前記第１内フィルムの縁から適宜距離を隔てた位置で内装フィルムの全幅に亘って互いに貼着させることにより、互いに剥離可能に封止連結した貼着部を形成すると共に、前記貼着部に内側引きしろを形成しており、前記外装フィルムは、その長手方向と交わる第１及び第２外フィルムの縁部を、前記第２外フィルムの縁部が前記内装フィルム側になるように重畳させ、この重畳部分の前記第１外フィルムの縁から適宜距離を隔てた位置で外装フィルムの全幅に亘って互いに剥離可能に貼着させた貼着部を形成すると共に、前記第１外フィルムの縁から前記貼着部に亘る外側引きしろを形成し、さらに、前記第１外フィルムには、前記海苔の一側がわを全幅に亘って表出させるための切り離し帯を延設しており、前記外側引きしろを引っ張って、前記切り離し帯の間の前記第１外フィルムを前記第２外フィルムから剥離させると共に、前記切り離し帯に沿って、その間の前記第１外フィルムを他の部分から切り離して、前記外装フィルムに外側開口部を形成し、この外側開口部から前記海苔の一短辺側の半面部分を展開させることによって、前記内側引きしろを表出させ、前記内側引きしろを引っ張って、前記第１内フィルムの中央部分を前記第２内フィルムから剥離させると共に、当該第１内フィルムの中央部分を他の部分から切り離して、前記内装フィルムに内側開口部を形成し、前記内側開口部から前記海苔の展開させた部分の上へ、前記おにぎり本体を転動させた状態で、前記海苔の他短辺側の半面部分を前記第２外フィルムと前記第２内フィルムとの間から引き出し、前記海苔の引き出した半面部分でおにぎり本体を覆っておにぎりを取り出す。
【００３６】
以下、図面に基づいて本発明の内容を詳述する。
【実施例１】
【００３７】
図１及び図２は、本発明に係る包装部材を示す外面図及び内面図である。両図１及び図２に示した如く、包装部材ａは、合成樹脂製のフィルムを用いて互いに同じ外寸の長方形状になした外装フィルム１と内装フィルム２とを対向配置し、両者の間に、シート状に乾燥させた海苔Ｎを介装させ、外装フィルム１の周縁近傍の部分と内装フィルム２の前記部分に対向する部分とを熱溶着させた封止部３，３，…を形成することによって、外内装フィルム１，２間に海苔Ｎを封入してある。
【００３８】
この外装フィルム１は、縦長長方形状の第１外フィルム１１と、該第１外フィルム１１の幅寸法と同じ横寸法の横長長方形状の第２外フィルム１２とを備えてなり、第１外フィルム１１の長辺側の両側縁の近傍にはそれぞれ、幅細な着色テープを第１外フィルム１１の全長に亘って貼着してなり、第１外フィルム１１の一部を切り離すための切り離し帯４，４が海苔Ｎの幅と略同じ幅を隔てて互いに平行に設けてある。この第１外フィルム１１の短辺側の一側縁であって、切り離し帯４，４の外縁にそれぞれ、第１外フィルム１１の縁と略直交する切込み１５，１５を設けて、両切込み１５，１５の間を外側引きしろ１６にしてある。
【００３９】
そして、前記第１外フィルム１１の短辺側の一側縁部と第２外フィルム１２の長辺側の一側縁部とを、第１外フィルム１１が外側になるように重畳させ、この重畳部分１３の適宜位置において、第１外フィルム１１と第２外フィルム１２とを第１外フィルム１１の全幅に亘って軽度に熱溶着させることによって両者を互いに剥離可能に封止連結した貼着部１４を形成すると共に、前記重畳部分１３から湿気が浸入することを防止してある。
【００４０】
また、内装フィルム２は、前記第１外フィルム１１に対向配置させてあり、略正方形状をなした第１内フィルム２１と、第１外フィルム１１の一部及び前記第２外フィルム１２に対向配置させてあり、前記第１内フィルム２１と略同じ形状の第２内フィルム２２とを備えてなり、第１内フィルム２１の一側縁であって、その中央位置から両側へ適宜距離を隔てた位置にそれぞれ、第１内フィルム２１の縁と略直交する切込み２５，２５を設けて、両切込み２５，２５の間を内側引きしろ２６にしてある。
【００４１】
そして、この第１内フィルム２１の一側縁部と第２内フィルム２２の一側縁部とを、第２内フィルム２２が外側になるように重畳させ、この重畳部分２３の適宜位置において、第１内フィルム２１と第２内フィルム２２とをその全幅に亘って軽度に熱溶着させることによって両者を互いに剥離可能に封止連結した貼着部２４を形成すると共に、前記重畳部分２３から湿気が浸入することを防止してある。
【００４２】
一方、前述した海苔Ｎは、外装フィルム１及び内装フィルム２の外寸より小さい外寸にしてあり、具体的には、市販されている一帖のシート状乾燥海苔の半分程度のサイズの長方形状にしてある。この海苔Ｎは、対向する外装フィルム１及び内装フィルム２の略中央に配置してあり、外装フィルム１及び内装フィルム２の前記海苔Ｎの周縁近傍の部分を互いに軽度に熱溶着させることによって、海苔Ｎの位置ずれを防止してある。
【００４３】
なお、前述した切り離し帯４，４は、前記海苔Ｎの長辺側の略両側縁上にそれぞれ位置するように第１外フィルム１１に設けてあり、前述した切込み１５，１５は、海苔Ｎの長辺側の略両側縁から少し内側にそれぞれ位置するように第１内フィルム２１に設けてある。
【００４４】
このように、本発明に係る包装部材ａにあっては、外装フィルム１と内装フィルム２との間に海苔Ｎが封入してあるため、この包装部材ａによって、後述する如くおにぎり本体を包装した場合であっても、おにぎり本体から蒸散する水分が包装部材ａ内の海苔Ｎに吸収されることが防止される。
【００４５】
なお、本実施例では、切り離し帯４，４を海苔Ｎの幅と略同じ幅を隔てて互いに平行に設けた場合について示してあるが、本発明はこれに限らず、海苔Ｎの幅と略同じ幅の切り離し帯を設けてもよいことはいうまでもない。
【００４６】
図３は、図１及び図２に示した包装部材ａを製造する製造装置を示す一部省略斜視図であり、図中、５０は、矩形箱状の海苔供給器である。海苔供給器５０内には、予め半帖に切断された複数枚の海苔が重積されるようになっており、海苔供給器５０は、側面上部位置に開設した海苔搬出口５１から所定間隔で１枚ずつ海苔を横向きに搬出する。この海苔供給器５０には、海苔搬出口５１から搬出された海苔Ｎ，Ｎ，…を搬送するコンベア機６０の一端が連結してあり、コンベア機６０の他端には、搬入された各海苔Ｎ，Ｎ，…を包装する横長直方箱状の包装機７０の一端が連結してある。
【００４７】
包装機７０の天井壁には半製品及び製品を天井壁の一端側から他端側へ搬送する帯状の搬送部７１が設けてあり、搬送部７１の上方には、図１に示した外装フィルム１を構成する第１外フィルム１１及び第２外フィルム１２を各別に供給する第１外フィルムロール７２及び第２外フィルムロール７３が幅方向へ距離を隔てて回転自在に配置してあり、第１外フィルムロール７２及び第２外フィルムロール７３から対向する側縁部が重畳するように繰り出された第１外フィルムロール７２及び第２外フィルムロール７３は、前記天井壁の入側に前記搬送部７１の搬送方向と直交するように設けたバーに掛け廻して搬送部７１に供給されるようになっている。
【００４８】
一方、包装機７０の内部には、図２に示した内装フィルム２を構成する第１内フィルム２１及び第２内フィルム２２を各別に供給する第１内フィルムロール７５及び第２内フィルムロール７６が幅方向へ距離を隔てて回転自在に配置してあり、第１内フィルムロール７５及び第２内フィルムロール７６から対向する側縁部が重畳するように繰り出された第１内フィルムロール７５及び第２内フィルムロール７６は、前記天井壁の前記バーより入側に、前記バーと平行に開設した帯状の開口７７から搬送部７１上に、前記第１外フィルムロール７２及び第２外フィルムロール７３と対向するように供給される。
【００４９】
前述したコンベア機６０によって搬送された海苔Ｎ，Ｎ，…は所定の間隔で、包装機７０の前記開口７７上に搬入されるようになっており、この海苔Ｎ，Ｎ，…は、第１外フィルムロール７２及び第２外フィルムロール７３と、第１内フィルムロール７５及び第２内フィルムロール７６との間に挿入される。搬送部７１上の前記バーより下流側には、海苔Ｎ，Ｎ，…が介装された第１及び第２外フィルムロール７２，７３並びに第１及び第２内フィルムロール７５，７６を押圧して脱気する空気抜きロール７８が回転自在に軸支してあり、該空気抜きロール７８より下流には、第１外フィルムロール７２と第２外フィルムロール７３との重畳部、第１内フィルムロール７５と第２内フィルムロール７６との重畳部、並びに第１及び第２内フィルムロール７５，７６と第１及び第２外フィルムロール７２，７３の所定箇所を熱溶着して海苔を封入させるヒートロール７９、海苔Ｎ，Ｎ，…が封入された第１及び第２内フィルムロール７５，７６並びに第１及び第２外フィルムロール７２，７３を所定の間隔で幅方向に裁断するカッター８０、及び裁断されて生じた各包装部材ａ，ａ，…を送り出す送出しロール８１がこの順に配設してある。そして、各包装部材ａ，ａ，…は、包装機７０の他端に配置した収納器９０内に収納されるようになっている。
【００５０】
図４及び図５は、本発明に係る包装おにぎりを示す正面斜視図及び背面斜視図であり、図中、ａは、前述した包装部材であり、ｄは、おにぎり本体である。なお、両図中、図１及び図２に示した部分に対応する部分には同じ番号を付してその説明を省略する。
【００５１】
おにぎり本体ｄは、米を炊飯した後、所要形状（両図に示した場合は三角形状）に整形して構成されている。そして、包装おにぎりＡは、前述した包装部材ａの内装フィルム２の中央位置におにぎり本体ｄを、当該おにぎり本体ｄの正面及び背面が包装部材ａの両短辺側に向くように位置させ、包装部材ａによっておにぎり本体ｄを挟持するように包装部材ａを略二つ折りに折り込み、包装部材ａの長辺側の両側縁部をそれぞれ、当該側縁部の互いに対向する部分を包装おにぎりＡの側面視において二等辺三角形状になるように重畳させると共に、おにぎり本体ｄを封入するように各重畳部分を熱溶着させた後、包装部材ａの対向する両短辺側の側縁近傍を互いに熱溶着させて形成してある。これによって、おにぎり本体ｄは、図５に示した如く、包装部材ａによって、外装フィルム１に設けた外側引きしろ１６がおにぎり本体ｄの背面の底部近傍に位置されるように包まれ、その内部に封入される。
【００５２】
次に、このような包装おにぎりＡの開封方法について説明する。
【００５３】
図６及び図７は、図５に示した包装おにぎりＡの開封手順を説明する説明図である。図６（ａ１）に示した如く、包装おにぎりＡの外側引きしろ１６を引っ張って、切り離し帯４，４の間の第１外フィルム１１を第２外フィルム１２から剥離させると共に、切り離し帯４，４に沿って、その間の第１外フィルム１１を他の部分から切り離して、外装フィルム１に外側開口部１７を形成することによって、図６（ｂ１）に示した如く、この外側開口部１７から海苔Ｎの一短辺側の半面部分を海苔Ｎに割れ等を発生ことなく展開させる。これによって、図６（ｃ１）に示した如く、内装フィルム２に設けた内側引きしろ２６が表出する。
【００５４】
次に、図６（ｄ）に示した如く、内側引きしろ２６を引っ張って、第１内フィルム２１の中央部分を第２内フィルム２２から剥離させると共に、当該第１内フィルム２１の中央部分を他の部分から切り離して、図７（ｅ）に示した如く、おにぎり本体ｄに割れ等を発生させることなく内装フィルム２に内側開口部２７を形成する。
【００５５】
そして、図７（ｆ）に示した如く、前記内側開口部２７から海苔Ｎの展開させた部分の上へ、おにぎり本体ｄを転動させ、その状態で、図７（ｇ）に示した如く、海苔Ｎの他短辺側の半面部分を第２外フィルム１２と第２内フィルム２２との間から引き出し、図７（ｈ）に示した如く、海苔Ｎの引き出した半面部分でおにぎり本体ｄを覆って食に供する。
【００５６】
このように、外装フィルム１と内装フィルム２との間に海苔Ｎを封入した包装部材ａによっておにぎり本体ｄを封止状態に包装した包装おにぎりＡであっても、包装部材ａを開封して、おにぎり本体ｄを海苔Ｎで包んでなるおにぎりを、おにぎり本体ｄを手指で触れることなく、また、おにぎり本体ｄを海苔Ｎに割れ等を発生させることなく容易に形成することができる。
【実施例２】
【００５７】
図８及び図９は、実施例２に係る包装部材を示す外面図及び内面図であり、１枚の外装フィルム１ｂを用いてある。なお、両図中、図１及び図２に示した部分に対応する部分には対応する符号を付して、その説明の一部を省略する。
【００５８】
両図８及び図９に示した如く、本実施例に係る包装部材ｂの外装フィルム１ｂは、縦長長方形状をなしており、外装フィルム１ｂの長辺側の両側縁の近傍にはそれぞれ、幅細な着色テープを外装フィルム１ｂの全長に亘って貼着してなり、外装フィルム１ｂの一部を切り離すための切り離し帯４ｂ，４ｂが設けてある。この切り離し帯４ｂ，４ｂは、外装フィルム１ｂの短辺側の一側縁近傍の領域を除く略全長領域において、内包する海苔Ｎの幅と略同じ幅を隔てて互いに平行に延設し、前記一側縁側へ向かうに従って両者間の寸法を漸次狭め、更に、狭間隔で互いに平行な状態で前記一側縁に達するようにしてある。そして、この外装フィルム１ｂの短辺側の一側縁であって、切り離し帯４ｂ，４ｂの外縁にそれぞれ、外装フィルム１ｂの縁と略直交する切込み１５ｂ，１５ｂを設けて、両切込み１５ｂ，１５ｂの間を外側引きしろ１６ｂにしてある。
【００５９】
なお、本実施例では、切り離し帯４ｂ，４ｂは、外装フィルム１ｂの短辺側の一側縁近傍の領域を除く略全長領域において、内包する海苔Ｎの幅と略同じ幅を隔てて互いに平行に延設し、前記一側縁側へ向かうに従って両者間の寸法を漸次狭め、更に、狭間隔で互いに平行な状態で前記一側縁に達するようにしてあるが、本発明はこれに限らず、切り離し帯４ｂ，４ｂは、外装フィルム１ｂの全長領域において、内包する海苔Ｎの幅と略同じ幅を隔てて互いに平行に延設してもよい。また、海苔Ｎの幅と略同じ幅の切り離し帯を設けてもよい。
【００６０】
一方、内装フィルム２は、図２に示した内装フィルム２と同様、第１内フィルム２１の一側縁部と第２内フィルム２２の一側縁部とを、第２内フィルム２２が外側になるように重畳させ、この重畳部分２３の適宜位置において、第１内フィルム２１と第２内フィルム２２とをその全幅に亘って軽度に熱溶着させることによって両者を互いに剥離可能に封止連結した貼着部２４が形成してある。
【００６１】
そして、包装部材ｂは、外装フィルム１ｂと内装フィルム２とを対向配置し、両者の間に、シート状に乾燥させた海苔Ｎを介装させ、外装フィルム１ｂの周縁近傍の部分と内装フィルム２の前記部分に対向する部分とを熱溶着させた封止部３，３，…を形成することによって、外内装フィルム１ｂ，２間に海苔Ｎを封入してある。
【００６２】
このように、本実施例に係る包装部材ｂにあっては、１枚のフィルムによって外装フィルム１ｂを構成してあるため、実施例１に開示した如く、第１外フィルム１１及び第２外フィルム１２で構成する外装フィルム１を製造する場合に比べて、製造装置の構成を簡単にすることができる。
【００６３】
図１０は、実施例２に係る包装おにぎりを示す正面斜視図である。なお、両図中、図４及び図５に示した部分に対応する部分には同じ番号を付してその説明を省略する。
【００６４】
本実施例に係る包装おにぎりＢも、実施例１で説明した如く、包装部材ｂの内装フィルム２の中央位置におにぎり本体ｄを、当該おにぎり本体ｄの三角形状の正面及び背面が包装部材ｂの両短辺側に向くように位置させ、包装部材ｂによっておにぎり本体ｄを挟持するように包装部材ｂを折り込み、包装部材ｂの長辺側の両側縁部をそれぞれ、当該側縁部の互いに対向する部分を包装おにぎりｄの側面視において二等辺三角形状になるように重畳させると共に、おにぎり本体ｄを封入するように各重畳部分を熱溶着させた後、包装部材ｂの対向する両短辺側の側縁近傍を互いに熱溶着させて形成してある。
【００６５】
次に、このような包装おにぎりＢの開封方法について説明する。
【００６６】
図１１は、図１０に示した包装おにぎりＢの開封手順を説明する説明図である。図１１（ａ２）に示した如く、包装おにぎりＢの外側引きしろ１６ｂを引っ張って、切り離し帯４ｂ，４ｂの間の外装フィルム１ｂを切り離し帯４ｂ，４ｂに沿って、他の部分から切り離して、外装フィルム１ｂに外側開口部１７ｂを形成した後、図１１（ｂ２）に示した如く、この外側開口部１７ｂから海苔Ｎの一短辺側の半面部分を引き出して展開させる。これによって、図１１（ｃ２）に示した如く、内装フィルム２に設けた内側引きしろ２６が表出する。
【００６７】
そして、前述した図６（ｄ）〜図７（ｈ）と同様の操作を行うことによって、海苔Ｎでおにぎり本体ｄを覆ったおにぎりを取り出す。
【００６８】
このように、１枚のフィルムからなる外装フィルム１ｂと内装フィルム２との間に海苔Ｎを封入した包装部材ｂによっておにぎり本体ｄを封止状態に包装した包装おにぎりＢであっても、包装部材ｂを開封して、おにぎり本体ｄを海苔Ｎで包んでなるおにぎりを、おにぎり本体ｄを手指で触れることなく、また、おにぎり本体ｄを海苔Ｎに割れ等を発生させることなく容易に形成することができる。
【図面の簡単な説明】
【００６９】
【図１】本発明に係る包装部材を示す外面図である。
【図２】本発明に係る包装部材を示す内面図である。
【図３】図１及び図２に示した包装部材を製造する製造装置を示す一部省略斜視図である。
【図４】本発明に係る包装おにぎりを示す正面斜視図である。
【図５】本発明に係る包装おにぎりを示す背面斜視図である。
【図６】図５に示した包装おにぎりの開封手順を説明する説明図である。
【図７】図５に示した包装おにぎりの開封手順を説明する説明図である。
【図８】実施例２に係る包装部材を示す外面図である。
【図９】実施例２に係る包装部材を示す内面図である。
【図１０】実施例２に係る包装おにぎりを示す正面斜視図である。
【図１１】図１０に示した包装おにぎりの開封手順を説明する説明図である。
【符号の説明】
【００７０】
１    外装フィルム
１ｂ  外装フィルム
２    内装フィルム
３    封止部
４    切り離し帯
４ｂ  切り離し帯
１１    第１外フィルム
１２    第２外フィルム
１３    重畳部分
１４    貼着部
１５    切込み
１５ｂ  切込み
１６    外側引きしろ
１６ｂ  外側引きしろ
１７    外側開口
１７ｂ  外側開口
２１    第１内フィルム
２２    第２内フィルム
２３    重畳部分
２４    貼着部
２５    切込み
２６    内側引きしろ
２７    内側開口
ａ  包装部材
ｂ  包装部材
ｄ  おにぎり本体
Ａ  包装おにぎり
Ｂ  包装おにぎり
Ｎ  海苔
【図１】
0003943567.tif 000002
【図２】
0003943567.tif 000003
【図３】
0003943567.tif 000004
【図４】
0003943567.tif 000005
【図５】
0003943567.tif 000006
【図６】
0003943567.tif 000007
【図７】
0003943567.tif 000008
【図８】
0003943567.tif 000009
【図９】
0003943567.tif 000010
【図１０】
0003943567.tif 000011
【図１１】
0003943567.tif 000012